(57)【要約】【課題】キャッピング時に、ボトルの回転を確実に阻止するよう口筒部の構造を改良したボトルと、キャップ締着装置を提供すること。【解決手段】ボトルは、口筒部にねじとネックリングを設けたボトルであって、ネックリング下方の口筒部外周面に複数の凹部または凸部を設けたことを特徴とする。またキャップ締着装置は、ボトルを支持する回転支持体とガイド部材、キャッピングヘッドとを具えたボトル口筒部にねじキャップを締着する装置であって、回転支持体に、ボトルホルダーを配設し、該ボトルホルダーのポケット内周面に、ボトル口筒部外周面の凹部または凸部に係合する係止部を設けたことを特徴とする。【選択図】        図１
2004224414.tif 000002
【特許請求の範囲】
【請求項１】
口筒部にねじとネックリングを設けたボトルであって、
ネックリング下方の口筒部外周面に複数の凹部または凸部を設けたことを特徴とするボトル。
【請求項２】
ボトルを支持する回転支持体とガイド部材、キャッピングヘッドとを具えたボトル口筒部にねじキャップを締着する装置であって、
回転支持体に、ボトルホルダーを配設し、該ボトルホルダーのポケット内周面に、ボトル口筒部外周面の凹部または凸部に係合する係止部を設けたことを特徴とするキャップ締着装置。
【発明の詳細な説明】
【０００１】
【発明の属する技術分野】
本発明は、ねじキャップ締着のために好適なプラスチックボトルの口筒部構造と、キャップ締着装置に関する。
【０００２】
【従来の技術】
ボトルの口筒部にねじキャップを締着するキャップ締着装置において、キャッピング時に、ボトルの回転を防止するため、ボトル口筒部のネックリング（フランジ部）下面に凹部と凸部の一方または両方からなる段部を設け、ネックリングを支承するボトルホルダーに、前記段部に係合する係止部を設けたキャップ装着装置は、従来より知られている（例えば、特許文献１参照。）。
【０００３】
【特許文献１】
特開平８−１０４３９５号公報
【０００４】
【発明が解決しようとする課題】
しかしながら、上記従来の装置は、ネックリング下面に段部が設けられているため、ネックリングを把持してボトルを搬送するとき、搬送ラインのごみ、塵埃等が凹部に付着し、充填ステーションやキャップ締着装置にまで運ばれるという問題があった。
【０００５】
また、ボトルの使用にあたって、ボトル上部をもってキャップを開閉するときに、手指がネックリング下面の段部でこすられ、手指を荒らしたり、傷つけられるおそれもあった。
【０００６】
本発明は、上記の問題点を解決することを課題とし、キャッピング時に、ボトルの回転を確実に阻止するよう口筒部の構造を改良したボトルと、キャップ締着装置を提供することを目的とする。
【０００７】
【課題を解決するための手段】
本発明は、上記の課題を解決するため、ボトルとして、口筒部にねじとネックリングを設けたボトルであって、ネックリング下方の口筒部外周面に複数の凹部または凸部を刻設したことを特徴とする構成を採用する。
【０００８】
キャップ締着装置として、ボトルを支持する回転支持体とガイド部材、キャッピングヘッドとを具えたボトル口筒部にねじキャップを締着する装置であって、回転支持体に、ボトルホルダーを配設し、該ボトルホルダーのポケット内周面に、ボトル口筒部外周面の凹部または凸部に係合する係止部を設けたことを特徴とする構成を採用する。
【０００９】
【発明の実施の形態】
次に、本発明のプラスチック製のボトルとキャップ締着装置の実施形態について、図面を参照して説明する。
まず始めに、ボトルについて説明すると、図１，２において、Ａはボトルであり、口筒部１と肩部、胴部２と底部３とからなっており、ＰＥＴその他の合成樹脂によってブロー成形されている。
口筒部１の外周には、ねじ４が刻設されており、その下方には、フランジ状のネックリング５が突設されている。
【００１０】
ネックリング５下方の口筒部１外周面６には、一個または複数個の凹部７が設けられている。
図中８は、ボトル口筒部１に被嵌されるねじキャップである。
上記ボトルＡは、内容液が充填された後、キャップ締着装置Ｂに搬送され、ねじキャップ８が締着される。
【００１１】
上記実施例では、外周面６に凹部７を設けているが、凹部７に替え、図３に示すような凸部７ａを設けてもよい。
【００１２】
次に、キャップ締着装置Ｂとその作用効果について説明する。
図４に示すように、キャップ締着装置Ｂは、ボトルＡを把持する回転支持体１０とガイド部材１１とを具えており、回転支持体１０には、所定の間隔をおいて、ポケット１２を有するボトルホルダー１３が配設されている。
【００１３】
図５に示すように、ポケット１２は、ボトルＡのネックリング５下方の外周面６に係合する内周面１４を有しており、該内周面１４には、ボトルＡの外周面６の凹部７に係合する係止凸部１５が突設されている。
【００１４】
ボトルの凹部７を別実施例のように凸部７ａに変更した場合には、係止凸部１５は、図６（ａ）に示すように、凸部７ａに係合する係止凹部１５ａに変更する。
また、図６（ｂ）に示すように、ボトルＡ外周面６と、ポケット１２の内周面１４のそれぞれに係止部として凸部７ｂ、凸部１５ｂを設け、凸部７ｂ、凸部１５ｂが係合するようにしてもよい。
【００１５】
図４において、１６，１６ａは転送スターホイール、１７，１７ａはボトルの支持テーブルである。
ボトルＡは、搬送ベルト（図示しない）によって搬送され、転送スターホイール１６によって搬送ベルトから支持テーブル１７上に載せられて移動し、次いで、ボトルＡ口筒部１のネックリング５が、ボトルホルダー１３のポケット１２と、ガイド部材１１上面に受け渡され、ポケット１２とガイド部材１１によって把持される。
【００１６】
回転支持体１０の上方の所定位置には、キャップ供給装置（図示しない）と、図７に示すキャッピングヘッド１８が配設されており、回転支持体１０の回転によってボトルＡが移動し、ボトル口筒部１にキャップ供給装置よりボトル口筒部１にねじキャップ８が被着され、次いで、キャッピングヘッド１８が回転しながら下降し、ねじキャップ８を保持して巻締めトルクとトップロードを加える。
【００１７】
その際、ボトルＡは、キャッピングヘッド１８によって廻動されながら押下げられ、図５、７に示すように、ネックリング５の下面が、ボトルホルダー１３と、ガイド部材１１に押圧されるとともに、ボトルＡの外周面６とポケット１２の内周面１４が接触して、ネックリング５直下の外周面６の凹部７に、ポケット１２内周面１４の係止凸部１５が係合する。
そのことによって、ボトルＡの回転が阻止され、キャッピングヘッド１８の巻締めトルクによって、ねじキャップ８は確実に締着されるのである。
【００１８】
また、ボトル口筒部１の外周面６に凸部７ａを設け、ポケット１２内周面１４に係止凹部１５ａを設けた場合、図６（ａ）に示すように、前記実施形態と同様に、ネックリング５直下の外周面６の凸部７ａが、ポケット１２内周面１４の係合凹部１５ａに係合し、ボトルＡの回転を阻止する。
【００１９】
ボトル口筒部１の外周面６とポケット１２のそれぞれに凸部７ｂ、凸部１５ｂを設けた場合には、図６（ｂ）に示すように、ボトル口筒部１の外周面６と、ポケット１２内周面１４との間に一定の間隙をもってボトルＡを回転させ、キッャピング時には、凸部７ｂと凸部１５ｂを係合させることによってボトルの回転を阻止する。
【００２０】
また、キャップ締着にあたって、キャップ供給装置を用いて、ボトル口筒部１にねじキャップ８を被着したが、キャッピングヘッド１８がねじキャップ８を掴んで、ボトル口筒部１に螺着するようにしてもよい。
【００２１】
次いで、ねじキャップ８が締着されたボトルＡは、回転支持体１０の回転によって移動して、支持テーブル１７ａ上に載せられ、転送スターホイール１６ａによってキャップ締着装置Ｂから搬送ラインに移送される。
【００２２】
【発明の効果】
本発明は、上記のように構成されているから、次の効果を奏する。
ボトルのネックリング下方の口筒部外周面に、凹部または凸部を形成し、キャップ締着装置のボトルホルダーの係止部を係止させるようにしたから、ボトルの回転が確実に抑えられ、キャッピングが容易にかつ確実にできるようになった。
【００２３】
また、ボトルのネックリングの上下面には、段部が形成されていないから、ボトルの使用中にネックリングに触れても、手指を傷つけたり、荒らすことはなくなった。
【図面の簡単な説明】
【図１】本発明のボトルの立面図である。
【図２】図１のＡ−Ａ線における断面図である。
【図３】別実施例の断面図である。
【図４】キャップ締着装置の要部を説明する上面図である。
【図５】ボトルホルダーの拡大説明図である。
【図６】図（ａ）（ｂ）はボトルホルダーの二つの別実施例の拡大説明図である。
【図７】図５のＡ−Ａ線におけるキャッピング時のボトルの断面図である。
【符号の説明】
Ａ            ボトル
Ｂ            キャップ締着装置
１            口筒部
２            胴部
３            底部
４            ねじ
５            ネックリング
６            外周面
７            凹部
７ａ、７ｂ    凸部
８            ねじキャップ
１０          回転支持体
１１          ガイド部材
１２          ポケット
１３          ボトルホルダー
１４          内周面
１５          係止凸部
１５ａ        係止凹部
１５ｂ        凸部
１６、１６ａ  転送スターホイール
１７、１７ａ  支持テーブル
１８          キャッピングヘッド
【図１】
2004224414.tif 000003
【図２】
2004224414.tif 000004
【図３】
2004224414.tif 000005
【図４】
2004224414.tif 000006
【図５】
2004224414.tif 000007
【図６】
2004224414.tif 000008
【図７】
2004224414.tif 000009